(57)【特許請求の範囲】
【請求項１】
瓦主体と、この瓦主体の一辺部から下方に突き出す垂れとを備えており、ケラバの上部を瓦主体によって覆い、ケラバの側部を垂れによって覆うように葺きこまれる瓦であって、
垂れの下端側であって、この垂れの外面側に、この垂れの全長に亘って、下方に向いた段差面を形成させ、かつ、この段差面の上方にある垂れの外面を段上面とさせると共にこの段差面と垂れの下端との間を段下面とさせる段部を備えており、
しかも、この段差面が、この段差面と段上面との間の外隅からこの段差面と段下面との間の内隅に向けて斜め上がりになっていることを特徴とする瓦。
【請求項２】
鉛直板部と、この鉛直板部の下端から側方に突き出すと共に上面を雨水受けとするように形成された横板部とを備えた樋体におけるこの鉛直板部を、
ケラバの側部と請求項１記載の瓦の瓦主体との間に挟み込み状に止着させて、この樋体の横板部をこの瓦の垂れの下端の下方に配させてなるケラバの納め構造。
【発明の詳細な説明】
【技術分野】
【０００１】
この発明は、建物の屋根におけるケラバを納めるために用いられる瓦、および、かかる瓦を含んで構成されるケラバの納め構造に関する。
【背景技術】
【０００２】
建物の屋根のケラバに葺き込まれる瓦は、ケラバの側部を覆う垂れ（袖瓦の場合には袖状の部分）を備えている。ここで、最近の住宅ではこの垂れの内側にこの垂れに接するように、あるいは、近接した状態で、破風板がはり込まれる場合が少なくない。このような場合、そのままでは、垂れを通じて流れる雨水が破風板を濡らし染みなどを作ってしまい易い。こうしたことから、垂れ（水切り部）の下端側と破風板との間に隙間を形成させるようにした袖瓦が提案されているところである。（特許文献１、特許文献２参照）
【特許文献１】特開平８−２１０３６号公報
【特許文献２】特開平７−３３１８０９号公報
【発明の開示】
【発明が解決しようとする課題】
【０００３】
この発明が解決しようとする主たる問題点は、この種の瓦の垂れの内面と破風板との間にあえて隙間を作らなくても、垂れの外面を流れる水が破風板に、さらには、その下方の建物の壁面などに、できる限り付着しないようにする点にある。
【課題を解決するための手段】
【０００４】
前記課題を達成するために、第一の発明にあっては、瓦を、瓦主体と、この瓦主体の一辺部から下方に突き出す垂れとを備えており、ケラバの上部を瓦主体によって覆い、ケラバの側部を垂れによって覆うように葺きこまれる瓦であって、
垂れの下端側であって、この垂れの外面側に、この垂れの全長に亘って、下方に向いた段差面を形成させ、かつ、この段差面の上方にある垂れの外面を段上面とさせると共にこの段差面と垂れの下端との間を段下面とさせる段部を備えており、
しかも、この段差面を、この段差面と段上面との間の外隅からこの段差面と段下面との間の内隅に向けて斜め上がりにさせたものとした。
【０００５】
かかる瓦によれば、簡素な構造でありながら、降雨時などにおいて破風板の外面に雨水などによって染みなどができる事態を効果的に防止することができる。すなわち、瓦主体の外面を通じて垂れの外面に流下してきた水や、垂れの外面に付着して流下される水は、前記外隅に至るが、前記段差面は前記の向きの傾斜を持っていることから、かかる水は段差面に入り込まず外隅より垂れ落ちる。前記外隅と破風板との間には少なくとも垂れの肉厚分の間隔が確保されるので、外隅から垂れ落ちた水は風などの影響が強くない限り破風板に付着されることはない。
【０００６】
また、前記課題を達成するために、第二の発明にあっては、ケラバの納め構造を、鉛直板部と、この鉛直板部の下端から側方に突き出すと共に上面を雨水受けとするように形成された横板部とを備えた樋体におけるこの鉛直板部を、
ケラバの側部と前記瓦の瓦主体との間に挟み込み状に止着させて、この樋体の横板部をこの瓦の垂れの下端の下方に配させてなるものとした。
【０００７】
かかる納め構造によれば、瓦の垂れの外隅から垂れ落ちた水を樋体の雨水受けで受けてそれより下方の建物の壁面などを濡らすことなく排水することができる。
【発明の効果】
【０００８】
この発明にかかる瓦によれば、かかる瓦の垂れの内面と破風板との間にあえて隙間を作らなくても、段部によって垂れの外面側に形成された外隅で水切りして垂れの外面を流れる水が破風板にできる限り付着しないようにすることができる。
【０００９】
また、この発明にかかるケラバの納め構造によれば、瓦の垂れの外面側に形成された外隅から垂れ落ちる水を樋体によって排水させてこのような水が破風板ないしはその下方の壁面などにできる限り付着しないようにすることができる。
【発明を実施するための最良の形態】
【００１０】
以下、図１および図２に基づいて、この発明を実施するための最良の形態について説明する。
【００１１】
なお、ここで図１は、実施の形態にかかる瓦１を用いてケラバＥを納めた様子を屋根の棟に平行な向きにおいて縦断面の状態にして示している。また、図２は、このケラバＥに瓦１を葺いた様子と葺く前の様子の概要が分かるように、ケラバＥと瓦１とをそれぞれ斜視の状態として示している。
【００１２】
この実施の形態にかかる瓦１は、建物の屋根におけるケラバＥを納めるために用いられるものである。また、この実施の形態にかかるケラバＥの納め構造は、かかる瓦１を含んで構成されるものである。
【００１３】
図中、符号３はケラバＥに隣接した屋根面を葺く瓦、符号４は瓦桟、符号５は野地板、符号６はケラバ垂木、符号７は破風板、符号８は前記瓦３とケラバＥを納める瓦１との間の水切り金物である。
【００１４】
この実施の形態にかかる瓦１は、瓦主体１０と、垂れ１１とを備えている。瓦主体１０は屋根の流れ方向に沿って長い略矩形の板状をなすように構成されている。垂れ１１はこのこの瓦主体１０の長さ方向に沿った一辺部に亘って、この一辺部から下方に突き出すように形成されている。図示の例では、垂れ１１も屋根の流れ方向に長い略矩形の板状をなすように構成されている。また、瓦主体１０から垂れ１１は略直交する向きに突き出すようになっている。また、図示の例では、瓦主体１０の幅と垂れ１１の幅とは略等しくなっている。また、瓦主体１０には釘の通し穴１０ａが一箇所に設けられており、垂れ１１には釘の通し穴１１ａが二箇所に設けられている。図示の例では、かかる瓦１は、ケラバＥの上部Ｅａを瓦主体１０によって覆い、ケラバＥの側部Ｅｂを垂れ１１によって覆うように葺きこまれ、前記通し穴１０ａ、１１ａを通じてケラバ垂木６に打ち込まれる釘９によって固定されるようになっている。
【００１５】
かかる瓦１における垂れ１１の下端１１ｄ側であって、この垂れ１１の外面側には、この垂れ１１の全長に亘って、段部１１ｂが形成されている。そして、かかる段部１１ｂによって、垂れ１１の下端１１ｄ側の外面側に、下方に向いた段差面１１ｉが形成されている。そして、この段部１１ｂによって、この段差面１１ｉの上方にある垂れ１１の外面が段上面１１ｃとなり、かつ、この段差面１１ｉと垂れ１１の下端１１ｄとの間が段下面１１ｅとなるようになっている。すなわち、段下面１１ｅに対し段上面１１ｃは外側に位置されるようになっている。
【００１６】
そして、この実施の形態にかかる瓦１にあっては、前記段差面１１ｉが、この段差面１１ｉと段上面１１ｃとの間の外隅１１ｆからこの段差面１１ｉと段下面１１ｅとの間の内隅１１ｇに向けて斜め上がりの面となるように構成されている。
【００１７】
これにより、この実施の形態にかかる瓦１にあっては、簡素な構造でありながら、降雨時などにおいて破風板７の外面に雨水などによって染みなどができる事態を効果的に防止することができる。すなわち、瓦主体１０の外面を通じて垂れ１１の外面に流下してきた水や、垂れ１１の外面に付着して流下される水は、前記外隅１１ｆに至るが、前記段差面１１ｉは前記の向きの傾斜を持っていることから、かかる水は段差面１１ｉに入り込まず外隅１１ｆより垂れ落ちる。前記外隅１１ｆと破風板７との間には少なくとも垂れ１１の肉厚分の間隔が確保されるので、外隅１１ｆから垂れ落ちた水は風などの影響が強くない限り破風板７に付着されることはない。
【００１８】
図示の例ではまた、このようにケラバＥに葺きこまれる瓦１の垂れ１１の下端１１ｄの下方に雨水受けを配するようにケラバＥに樋体２を取り付けるようにしている。
【００１９】
かかる樋体２は、鉛直板部２０と、この鉛直板部２０の下端２０ａから側方に突き出すと共に上面を雨水受けとするように形成された横板部２１とを備えている。そして、この鉛直板部２０を、ケラバＥの側部Ｅｂと前記瓦１の瓦主体１０との間に挟み込み状に止着させて、この樋体２の横板部２１をこの瓦１の垂れ１１の下端１１ｄの下方に配させている。
【００２０】
かかる樋体２は、ケラバＥの全長に亘るように備えられる。図示の例では、一枚の長尺の金属板を、その幅方向に間隔を開けた二箇所において、その長さ方向に亘って屈曲させることにより、かかる樋体２を成形させている。第一屈曲部２２によって鉛直板部２０の下端２０ａと横板部２１の基端２１ｂとが形成されている。横板部２１の先端は第二屈曲部２３によって上方に立ち上げられ、これにより横板部２１は上面側を溝状に形成され、この上面側を雨水受けとさせている。
【００２１】
そして、図示の例では、かかる樋体２の横板部２１が破風板７側と反対の側に突き出す向きで、かつ、この横板部２１と瓦１の垂れ１１の下端１１ｄとの間に間隔を開けてこの横板部２１が垂れ１１の下端１１ｄの直下に位置されるようにして、前記のようにケラバＥに樋体２を取り付けさせている。
【００２２】
これにより、この例にあっては、瓦１の垂れ１１の外隅１１ｆから垂れ落ちた水を樋体２の雨水受けで受けてそれより下方の建物の壁面などを濡らすことなく排水することができる。
【００２３】
図示の例では、樋体２の鉛直板部２０はケラバＥの全長に亘るように設けられており、瓦１の垂れ１１の外隅１１ｆから垂れ落ちる水は風が強い場合であっても破風板７を濡らすことがないようになっている。
【００２４】
また、図示の例では、瓦１の垂れ１１の下端１１ｄ側の内面側には、垂れ１１の長さ方向に亘って水切り溝１１ｈが形成されており、樋体２の鉛直板部２０と垂れ１１との間から上方に水がしみこまないようにしてある。
【００２５】
この他、瓦１の外面などには、必要に応じて、意匠的な観点や機能的な観点から、溝や突起や面取りなどが施されて、ケラバＥを納める瓦１とされる。
【図面の簡単な説明】
【００２６】
【図１】瓦１の使用状態を示した断面構成図
【図２】同斜視構成図
【符号の説明】
【００２７】
１  瓦
１０  瓦主体
１１  垂れ
１１ｂ  段部
１１ｃ  段上面
１１ｄ  下端
１１ｅ  段下面
１１ｆ  外隅
１１ｇ  内隅
１１ｉ  段差面
Ｅ  ケラバ
Ｅａ  上部
Ｅｂ  側部
【図１】
0004819526.tif 000002
【図２】
0004819526.tif 000003